(57)【要約】【課題】  シャッターノブが固着されたロータリーシャッターをハウジング内に備えてなる小型ディスクカートリッジにおいて、ロータリーシャッターの開閉動作の安定化を図る。【解決手段】  シャッター部材７Ｄに、段部７ｈを境にして下シェル４と対向する面の回転中心近傍領域を下シェル４側に近づくように先端が平坦形状で膨出させた第１の膨出部７ｅを形成し、この第１の膨出部７ｅよりも回転中心に対して外側に位置するシャッターノブ固着部２０にも、下シェル４側に近づくように第１の膨出部７ｅと同じ高さで先端が平坦形状で膨出させた第２の膨出部２０ａを形成し、この第２の膨出部２０ａにシャッターノブ２１を係合させるための、磁気ディスク５側に突出したバーリング孔２０ｂを形成し、シャッターノブ２１の磁気ディスク５側の先端が磁気ディスク５と干渉しないようにバーリング孔２０ｂにカシメ処理により固着する。【選択図】        図２
2005310223.tif 000002
【特許請求の範囲】
【請求項１】
上シェルと下シェルとを、その少なくとも一部にフレームを介在させて蓋合わせして形成されるハウジング内に記録媒体としてのディスクを回転自在に収納してなり、
前記ハウジングが、ドライブ装置の記録再生ヘッドを前記ディスクの表面にアクセスさせるための開口を備えるとともに、前記ディスクを挟む上シャッターと下シャッターとで構成されて前記開口を開閉するロータリーシャッターと、前記ロータリーシャッターを閉方向に付勢するバネ部材とを収納してなり、
前記ロータリーシャッターが、少なくとも前記下シャッターの前記下シェルと対向する面の回転中心近傍領域を前記下シェル側に近づくように膨出させた第１の膨出部を備えるとともに、前記下シャッターの前記下シェルと対向し、かつ前記第１の膨出部よりも前記回転中心に対して外側の位置に前記ドライブ装置が備えるシャッター開閉部材に係合させるためのシャッターノブが固着され、
該シャッターノブの先端部が、前記下シェルに設けられた円弧状開口より前記ハウジング外部に突出してなる小型ディスクカートリッジにおいて、
前記下シャッターの前記シャッターノブの固着部に前記下シェル側に近づくように膨出させた第２の膨出部を備え、
該第２の膨出部に前記シャッターノブを係合させるためのバーリング孔が形成され、
前記シャッターノブが、前記バーリング孔にカシメ処理により固着されていることを特徴とする小型ディスクカートリッジ。
【請求項２】
前記シャッターノブが、その前記ディスク側の先端が前記ディスクと干渉しないように、前記第２の膨出部において固着されていることを特徴とする請求項１記載の小型ディスクカートリッジ。
【請求項３】
前記第１の膨出部と前記第２の膨出部とが、前記下シャッターから前記下シェルに向けて同じ高さで膨出したものであることを特徴とする請求項１または２記載の小型ディスクカートリッジ。
【発明の詳細な説明】
【技術分野】
【０００１】
本発明は、デジタルカメラやパソコン等に装填して使用される記録媒体としての小型ディスクカートリッジに関し、特にそのハウジングの開口部を開閉するロータリーシャッターに固着されるシャッターノブの固着部に関するものである。
【背景技術】
【０００２】
従来、デジタルカメラ等のモバイル機器においては、記録媒体として例えば特許文献１に記載されているような超小型の磁気ディクカートリッジが使用されている。
【０００３】
この小型ディスクカートリッジ１は、図４（ａ）〜（ｃ）にそのロータリーシャッター７が閉状態にある平面図、右側面図および底面図を、図５（ａ），（ｂ）にロータリーシャッター７が開状態にある平面図および底面図を、図６にその分解斜視図をそれぞれ示すように、カートリッジをモバイル機器に押し込んで装填する際に指で押す部分となる押込み部２ａを外縁に有する樹脂製のフレーム２と、このフレーム２と一体的に組み立てられる金属薄板からなる上下シェル３，４とによって構成された扁平なハウジング内に、磁気ディスク５を回転自在に収容してなるものである。
【０００４】
この小型ディスクカートリッジ１は、図示しないドライブ装置に挿入態様で装填されるように構成され、そのハウジングには、ドライブ装置が備えている磁気ヘッド（記録再生ヘッド）を磁気ディスク５の表面にアクセスさせるためのＶ字状の開口部６と、この開口部６を開閉するためハウジングに回転自在に取り付けられたロータリーシャッター７とが設けられている。
【０００５】
ハウジングの開口部６とほぼ同一形状のＶ字状の開口部７ａを備えた円形のロータリーシャッター７は、内側に磁気ディスク５を収容する空間をもって互いに係合された上下のシャッター部材７Ｕ、７Ｄ（図６参照）からなり、上シャッター部材７Ｕは上シェル３に、下シャッター部材７Ｄは下シェル４にそれぞれ回転可能に取り付けられている。そして、磁気ディスク５と上下のシャッター部材７Ｕ、７Ｄとの間には、それぞれ不織布等でシート状に構成されたライナー１８が介挿されている。
【０００６】
また、図４（ａ）におけるハウジングの左側面先端部には、ドライブ装置の係合部材に係合させて、ドライブ装置内での位置決めを確実にするためのノッチ８が形成され、右側面先端部には、図４（ｂ）に示すように、ロータリーシャッター７を閉位置にロックするためのシャッターロック部材１１を外部に臨ませる小窓９が形成されている。
【０００７】
ハウジングの下シェル４には、その中央に磁気ディスク５のセンタコア１０を外部に臨ませる円形の中心孔４ａが形成され、その周縁部にロータリーシャッター７と同心的な円弧状開口４ｂが形成され、下シャッター部材７Ｄのノブ固定孔７ｇには、上記円弧状開口４ｂから下シェル４の外に突出しかつこの円弧状開口４ｂに沿って移動してロータリーシャッター７を開閉するシャッターノブ７ｂが固着されている。
【０００８】
次にロータリーシャッター７のシャッターロック機構およびシャッターばね機構について説明する。図７（ａ）は小型ディスクカートリッジ１のロータリーシャッター７が閉位置にあるときの状態を、図７（ｂ）はロータリーシャッター７が開位置にある状態を、それぞれシャッターロック部材１１を残して上シェル３のみを取り除きかつ磁気ディスク５を省略して示す平面図である。
【０００９】
ロータリーシャッター７を閉位置にロックするシャッターロック部材１１は、ロータリーシャッター７の外周に形成された係合凹部７ｃに係入し得る係合凸部１１ａを先端に備えて、上シェル３に設けられた軸１２に回動自在に取り付けられているとともに、バネ板１１ｂによって、上記係合凸部１１ａが上記係合凹部７ｃに係入し得る方向（図７の反時計方向）にバネ付勢されている。
【００１０】
そして、小型ディスクカートリッジ１がドライブ装置へ挿入される際に、ドライブ装置のロック解除部材（図示せず）が図４（ｂ）に示す小窓９を通してシャッターロック部材１１を押圧することにより、ロック部材１１が時計方向に僅かに回動されて、係合凸部１１ａが係合凹部７ｃから脱出することによって、ロータリーシャッター７のロックが解除される。
【００１１】
ロータリーシャッター７を閉方向に付勢するシャッターばね機構は、ガイドワイヤー１５およびこのガイドワイヤー１５上をスライドする圧縮ばね１４からなり、圧縮バネ１４に挿通されたガイドワイヤー１５の両端はフレーム２の両端のワイヤー係止部２ｂに係止されており、また圧縮バネ１４の一端はロータリーシャッター７に形成されたバネ係止部７ｆに係止され、他端は圧縮バネ１４の自己復元力によりフレーム２の左側のワイヤー係止部２ｂへ押圧された状態となっている。そしてフレーム２とロータリーシャッター７の外周縁との間に形成された円弧状のバネガイド溝２ｃ内に収容され、ロータリーシャッター７の図中時計方向への開動作に伴って、図７（ｂ）に示すように圧縮バネ１４が圧縮されるように構成されている。
【００１２】
そして、小型ディスクカートリッジ１がドライブ装置に挿入されると、先ずロック解除部材がシャッターロック部材１１を押圧してロータリーシャッター７のロック状態を解除し、その状態でシャッターノブ７ｂがドライブ装置のシャッターノブ係止壁に係合するから、小型ディスクカートリッジ１の押し込みに伴ってロータリーシャッター７が圧縮バネ１４を圧縮しながら回動されて、図５（ａ），（ｂ）および図７（ｂ）に示すように開状態となる。
【特許文献１】米国特許第６２５６１６８号明細書
【発明の開示】
【発明が解決しようとする課題】
【００１３】
ところで、上述の小型ディスクカートリッジ１においては、ロータリーシャッター７とハウジングとの摺動摩擦を軽減させるために、ロータリーシャッター７の上下シャッター部材７Ｕ、７Ｄともに回転中心近傍の領域に段部７ｈを境にして各々のシャッターが取り付けられているシェルに近づくように膨出させた膨出部７ｅを形成して、この部分のみシェルと接触させるようにしているため、ロータリーシャッター７の縁周部ではシェルとの間に隙間が生じており、また、バネ係止部７ｆがロータリーシャッター７の縁周面に設けられているため縁周面の上下方向に偏倚力を受けてロータリーシャッター７の回転面が回転軸と直交せずに傾くことがあった。
【００１４】
また、ロータリーシャッター７のシャッターノブ固着部にも問題があり、これについて図面を用いて詳細に説明する。図８はロータリーシャッター７のシャッターノブ固着部の従来例の拡大断面図である。なお、図８には、磁気ディスク５、ライナー１８、下シャッター部材７Ｄ、下シェル４、シャッターノブ７ｂのみが示されている。
【００１５】
図８に示すように、シャッターノブ７ｂは、従来は下シャッター部材７Ｄの周縁部に形成されたバーリング孔７ｇに嵌合させた後にカシメ処理にて固着していたが、下シャッター部材７Ｄの磁気ディスク５と対向する面からカシメ部が突出してこれにより磁気ディスク５を傷付けることがないように、カシメ部がバーリング孔７ｇ内に収まるように固着していたためにシャッターノブ７ｂをバーリング孔７ｇに深く嵌合させることができないため、下シャッター部材７Ｄに対するシャッターノブ７ｂの垂直度を維持することが困難であり、さらには、下シャッター部材７Ｄとシャッターノブ７ｂとのカシメ処理は下シェル４を挟んで行われるが、上記のようにシャッターノブ７ｂと下シェル４との間には隙間があり、カシメ処理を行っている際に下シェル４が動いてしまうため、シャッターノブ７ｂの取付精度を維持することが困難であり、ロータリーシャッター７の開閉動作が不安定となってしまう虞があった。
【００１６】
本発明は上記問題に鑑みてなされたものであり、記録媒体としてのディスクを回転自在に収容するハウジングに、ドライブ装置の記録再生ヘッドをディスクの表面にアクセスさせるための開口と、この開口を開閉するロータリーシャッターとを備え、ロータリーシャッターにドライブ装置が備えるシャッター開閉部材に係合させるためのシャッターノブが固着されてなる小型ディスクカートリッジにおいて、ロータリーシャッターの開閉動作の安定化を図ることを目的とするものである。
【課題を解決するための手段】
【００１７】
本発明による小型ディスクカートリッジは、上シェルと下シェルとを、その少なくとも一部にフレームを介在させて蓋合わせして形成されるハウジング内に記録媒体としてのディスクを回転自在に収納してなり、ハウジングが、ドライブ装置の記録再生ヘッドをディスクの表面にアクセスさせるための開口を備えるとともに、ディスクを挟む上シャッターと下シャッターとで構成されて開口を開閉するロータリーシャッターと、ロータリーシャッターを閉方向に付勢するバネ部材とを収納してなり、ロータリーシャッターが、少なくとも下シャッターの下シェルと対向する面の回転中心近傍領域を下シェル側に近づくように膨出させた第１の膨出部を備えるとともに、下シャッターの下シェルと対向し、かつ第１の膨出部よりも回転中心に対して外側の位置にドライブ装置が備えるシャッター開閉部材に係合させるためのシャッターノブが固着され、シャッターノブの先端部が、下シェルに設けられた円弧状開口よりハウジング外部に突出してなる小型ディスクカートリッジにおいて、下シャッターのシャッターノブの固着部に下シェル側に近づくように膨出させた第２の膨出部を備え、第２の膨出部にシャッターノブを係合させるためのバーリング孔が形成され、シャッターノブが、バーリング孔にカシメ処理により固着されていることを特徴とするものである。
【００１８】
本発明においてシャッターノブは、そのディスク側の先端がディスクと干渉しないように、第２の膨出部内において上記先端がディスクと干渉する位置まで突出しない状態で固着されていることが好ましい。
【００１９】
また、第１の膨出部と第２の膨出部とは、下シャッターから下シェルに向けて同じ高さで膨出したものとすることが好ましい。
【発明の効果】
【００２０】
本発明によれば、上シェルと下シェルとを、その少なくとも一部にフレームを介在させて蓋合わせして形成されるハウジング内に記録媒体としてのディスクを回転自在に収納してなり、ハウジングが、ドライブ装置の記録再生ヘッドをディスクの表面にアクセスさせるための開口を備えるとともに、ディスクを挟む上シャッターと下シャッターとで構成されて開口を開閉するロータリーシャッターと、ロータリーシャッターを閉方向に付勢するバネ部材とを収納してなり、ロータリーシャッターが、少なくとも下シャッターの下シェルと対向する面の回転中心近傍領域を下シェル側に近づくように膨出させた第１の膨出部を備えるとともに、下シャッターの下シェルと対向し、かつ第１の膨出部よりも回転中心に対して外側の位置にドライブ装置が備えるシャッター開閉部材に係合させるためのシャッターノブが固着され、シャッターノブの先端部が、下シェルに設けられた円弧状開口よりハウジング外部に突出してなる小型ディスクカートリッジにおいて、
下シャッターのシャッターノブの固着部に下シェル側に近づくように膨出させた第２の膨出部を設け、第２の膨出部にシャッターノブを係合させるためのバーリング孔を形成し、シャッターノブを、バーリング孔にカシメ処理により固着するようにして、ロータリーシャッターの周縁部におけるシャッターノブの固着部と下シェルとの隙間を小さくしたことにより、ロータリーシャッターの回転面が回転軸と直交せずに傾いた場合でも、その傾きを小さくすることができ、さらにシャッターノブの固着部においては下シャッターと下シェルと間の隙間が小さくなるためにシャッターノブにカシメ処理を行う際に下シェルの遊動が小さくなるため、シャッターノブの取付精度を向上させることができるので、ロータリーシャッターの開閉動作を安定化させることができる。
【００２１】
また、シャッターノブを、そのディスク側の先端がディスクと干渉しないように、第２の膨出部内において上記先端がディスクと干渉する位置まで突出しない状態で固着することにより、固着部が誤ってディスクと接触することを防止することができる。さらにこのような態様を実現するためには、バーリング孔のディスク側の端部を第２の膨出部内のディスクと干渉しない位置に形成する必要があるが、これによりシャッターノブのディスク側先端をディスクに干渉させることなくシャッターノブをバーリング孔のディスク側先端まで嵌合させることができるため、シャッターノブの取付精度を向上させることができる。
【００２２】
また、第１の膨出部と第２の膨出部とを、下シャッターから下シェルに向けて同じ高さで膨出したものとすることにより、ロータリーシャッターの開閉動作時に第１の膨出部のみならず第２の膨出部もハウジングの下シェルと摺動するため、ロータリーシャッターの回転面が回転軸と直交せずに傾くことを防止することができる。
【００２３】
さらに、本発明による小型ディスクカートリッジにおいては、従来から行っている第１の膨出部の形成と同時に第２の膨出部を形成するようにプレス加工すればよいので、下シャッターを作製する上での加工工程の増加を招くことなく実現することができる。
【発明を実施するための最良の形態】
【００２４】
以下、本発明の実施の形態について、図面を参照して詳細に説明する。
【００２５】
図１は、本発明によるディスクカートリッジの一実施の形態を示す要部の分解斜視図、図２は図１のシャッターノブ固着部の拡大断面図である。
【００２６】
本実施の形態は、下シャッター部材７Ｄおよびシャッターノブ２１の構成を除き、図４〜図７を参照して説明した従来の小型ディスクカートリッジ１と同様の構成を有するから、同一部材には同一符号を付し、重複する説明は省略する。
【００２７】
図１には、フレーム２、ロータリーシャッター７の下シャッター部材７Ｄ、ハウジングの下シェル４、ロータリーシャッター７を閉方向に付勢する圧縮バネ１４、圧縮バネ１４に挿通されたガイドワイヤー１５、および下シャッター部材７Ｄのシャッターノブ固着部２０に固着されるシャッターノブ２１のみが示されており、図２には、磁気ディスク５、ライナー１８、下シャッター部材７Ｄ、下シェル４、シャッターノブ２１のみが示されている。
【００２８】
図２に示すように、シャッター部材７Ｄには段部７ｈを境にして下シェル４と対向する面の回転中心近傍領域を下シェル４側に近づくように膨出させた第１の膨出部７ｅが形成され、下シャッター部材７Ｄの下シェル４と対向し、かつ第１の膨出部７ｅよりも回転中心に対して外側に位置するシャッターノブ固着部２０には、下シェル４側に近づくように第１の膨出部７ｅと同じ高さで膨出させた第２の膨出部２０ａが形成され、この第２の膨出部２０ａにはシャッターノブ２１を係合させるための、磁気ディスク５側に向けて突出したバーリング孔２０ｂが形成されている。このバーリング孔２０ｂは、磁気ディスク５側に向けて突出した先端部が磁気ディスク５と干渉しない位置になるように第２の膨出部２０ａ内に形成されており、シャッターノブ２１はバーリング孔２０ｂの先端まで挿入され、その磁気ディスク５側の先端が磁気ディスク５と干渉しないように、第２の膨出部２０ａ内においてバーリング孔２０ｂにカシメ処理により固着されている。
【００２９】
これにより、第１の膨出部７ｅのみならず、第１の膨出部７ｅと同じ高さの第２の膨出部２０ａもロータリーシャッター７の開閉動作時にハウジングの下シェル４と摺動するため、ロータリーシャッター７の回転面が回転軸と直交せずに傾くことを防止することができるとともに、この第２の膨出部２０ａ内でカシメ処理を行うようにしたことによりシャッターノブ２１をバーリング孔２０ｂの磁気ディスク５側に向けて突出した先端部まで嵌合させることができ、さらにシャッターノブ固着部２０においては下シャッター部材７Ｄと下シェル４と間に隙間が無くなるためにシャッターノブ２１にカシメ処理を行う際に下シェル４が動くことがなくなり、シャッターノブ２１の取付精度を向上させることができるので、ロータリーシャッター７の開閉動作を安定化させることができる。
【００３０】
なお、シャッターノブ固着部の態様は上記に限定されるものではなく、例えば図３に示すように、膨出部２０ａ´に形成されるバーリング孔２０ｂ´を下シェル４側に突出させてもよい。
【図面の簡単な説明】
【００３１】
【図１】本発明の一実施の形態の小型ディスクカートリッジの要部の分解斜視図
【図２】図１の小型ディスクカートリッジのシャッターノブ固着部の拡大断面図
【図３】他の態様の小型ディスクカートリッジのシャッターノブ固着部の拡大断面図
【図４】従来の小型ディスクカートリッジのロータリーシャッターの閉状態を示す平面図（ａ）、右側面図（ｂ）および底面図（ｃ）
【図５】図４の小型ディスクカートリッジのロータリーシャッターの開状態を示す平面図（ａ）および底面図（ｂ）
【図６】図４の小型ディスクカートリッジの分解斜視図
【図７】図４の小型ディスクカートリッジの、ロータリーシャッターの閉状態を上シェルを取り除きかつ磁気ディスクを省略して示す平面図（ａ）、ロータリーシャッターの開状態を上シェルを取り除きかつ磁気ディスクを省略して示す平面図（ｂ）
【図８】図４の小型ディスクカートリッジのシャッターノブ固着部の拡大断面図
【符号の説明】
【００３２】
２    フレーム
３    上シェル
４    下シェル
５    磁気ディスク
７    ロータリーシャッター
７Ｕ    上シャッター部材
７Ｄ    下シャッター部材
７ｅ    第１の膨出部
１４    圧縮バネ
１５    ガイドワイヤー
１８    ライナー
２０    シャッターノブ固着部
２０ａ    第２の膨出部
２１    シャッターノブ
【図１】
2005310223.tif 000003
【図２】
2005310223.tif 000004
【図３】
2005310223.tif 000005
【図４】
2005310223.tif 000006
【図５】
2005310223.tif 000007
【図６】
2005310223.tif 000008
【図７】
2005310223.tif 000009
【図８】
2005310223.tif 000010